(57)【要約】【課題】奇麗な三角形のおにぎりを形成し易く、そのまま包装して衛生的に保管すると共に食す際にも使用できるおにぎり包装袋を提供すること。【解決手段】全体が可撓性のあるフィルムからなる袋体であって、米飯を挿入するための開口部１０Ｃ，１０Ｄと、挿入した米飯を収容するための収容部２０と、を有し、収容部２０の正対視は、開口部１０Ｃ，１０Ｄと反対側の底部が略直角となる略三角形状であり、収容部２０よりも開口部１０Ｃ，１０Ｄ側には、折り曲げられて収容部２０を封止するための蓋部２２を有し、収容部２０と蓋部２２との間には、収容部２０の略三角形状が蓋部２２側に延伸するようにして、蓋部２２で収容部２０を封止した際に米飯が収容されない余剰部２４が形成されていることを特徴とする。【選択図】図１
2019167133.tif 000002
【特許請求の範囲】
【請求項１】
全体が可撓性のあるフィルムからなる袋体であって、
米飯を挿入するための開口部と、
前記挿入した前記米飯を収容するための収容部と、
を有し、
前記収容部は、その主面の正対視が、前記開口部と反対側に略直角の角部を有する略三角形状であり、
前記収容部よりも前記開口部側には、折り曲げられて前記収容部の内側空間を封止するための蓋部を有し、
前記収容部と前記蓋部との間には、前記略三角形状が前記蓋部側に延伸するようにして、前記蓋部で前記収容部を封止した際に前記米飯が収容されない余剰部が形成されている
ことを特徴とするおにぎり包装袋。
【請求項２】
前記折り曲げられた前記蓋部の外面と前記収容部の外面とに跨がるようにして貼付されるシールが付属品として設けられており、
前記シールはおにぎりの種類を記載可能な記載部を有する
ことを特徴とする請求書１に記載のおにぎり包装袋。
【請求項３】
前記蓋部の周縁部周辺には、エンボスが形成されていることを特徴とする請求書１又は２に記載のおにぎり包装袋。
【請求項４】
前記収容部は表面が滑らかであって、
前記余剰部、及び／又は、前記余剰部と前記蓋部との境界付近には、二本の互いに隣接するスリットが略平行に形成されている
ことを特徴とする請求項１乃至３のいずれかに記載のおにぎり包装袋。
【発明の詳細な説明】
【技術分野】
【０００１】
本発明は、おにぎりを調理して、そのまま包装できるおにぎり包装袋に関する。
【背景技術】
【０００２】
従来より、食品の包装袋は存在する。特許文献１はその例であり、一方の主面と他方の主面とからなる薄い袋であり、正対視が四角形状をした包装袋である。四角形状の隣り合う二辺は閉じられ、他の隣り合う二辺は開口され、この開口部から食品を包装袋に入れることができる。  
この包装袋は、外層紙の他に、吸水紙、及び、内部に空間を形成するための合成樹脂を有し、ハンバーガーからの水蒸気を吸収し易くしている。
また、包装袋はアルミニウム箔等の金属を用いていないため、ハンバーガー等の食品を包装したまま電子レンジで加熱することができる。
そして、包装した食品を食べる際は、閉じられている二辺側の包装袋を手で持ちながら、二辺の開口部から食品の一部を出して食べるようになっている。
【先行技術文献】
【特許文献】
【０００３】
【特許文献１】実開平６−２２２７４号公報
【発明の概要】
【発明が解決しようとする課題】
【０００４】
ところで、特許文献１の包装袋は食品を包装でき、また、包装したまま電子レンジで加熱でき、そして、そのまま食品を食べることができるが、調理は単に電子レンジで温めるだけであって、おにぎりを握るのに用いられるものではない。特に、特許文献１の包装袋は、外層紙の他に吸水紙や合成樹脂を有することから、ごわつく等の相当の硬さを有するため、米飯を入れて奇麗な三角形のおにぎりを形成することは出来ない。
【０００５】
本発明は以上の問題を解決するためのもので、奇麗な三角形のおにぎりを形成し易く、そのまま包装して衛生的に保管すると共に、食す際にも使用できるおにぎり包装袋を提供することを目的とする。
【課題を解決するための手段】
【０００６】
上記課題は、本発明によれば、全体が可撓性のあるフィルムからなる袋体であって、米飯を挿入するための開口部と、前記挿入した前記米飯を収容するための収容部と、を有し、前記収容部は、その主面の正対視が、前記開口部と反対側に略直角の角部を有する略三角形状であり、前記収容部よりも前記開口部側には、折り曲げられて前記収容部の内側空間を封止するための蓋部を有し、前記収容部と前記蓋部との間には、前記略三角形状が前記蓋部側に延伸するようにして、前記蓋部で前記収容部を封止した際に前記米飯が収容されない余剰部が形成されていることを特徴とするおにぎり包装袋により解決される。
【０００７】
上記構成によれば、米飯（米を炊いたもの）を挿入するための開口部と、挿入した米飯を収容するための収容部とを有する袋体であり、開口部から米飯を入れて、収容部にその米飯を貯められる。この点、この袋体は、全体が可撓性のあるフィルムであり、かつ、収容部の正対視は開口部と反対側に略直角の角部を有する略三角形状である。従って、フィルムの上から米飯を手で感じながら、おにぎりを握ることができ、その際、三角形状の収容部がガイドとなって、綺麗な三角形状のおにぎりを作れる。
また、収容部よりも開口部側には、折り曲げられて収容部の内側空間を封止するための蓋部を有する。このため、おにぎりを形成する際、収容部の内側空間を蓋封止して、米飯が外に飛び出ることを防止し、おにぎりを形成した後は保管することができる。また、食事の際は、袋体を手で把持して蓋部を開け、おにぎりの一部を袋体から露出させながら食し、おにぎりへ手を触れずに衛生的に食べることができる。
ここで、収容部と蓋部との間には、蓋部で収容部を封止した際に米飯が収容されない余剰部を有する。従って、三角形に整えて調理していく際、米飯は収容部からあふれても、開口部から直ぐに出てしまう事態を防止できる。また、余剰部は収容部の略三角形状が蓋部側に延伸して形成されているため、通常より大き目のおにぎりを作ることも出来る。
【０００８】
また、好ましくは、前記折り曲げられた前記蓋部の外面と前記収容部の外面とに跨がるようにして貼付されるシールが付属品として設けられており、前記シールはおにぎりの種類を記載可能な記載部を有することを特徴とする。
従って、折り曲げた蓋部の外面と収容部の外面とに跨がるようにシールを貼付して、蓋で収容部を封止した状態を維持することができる。しかも、このシールの記載部におにぎりの種類を記載して、食事の際に食べたいおにぎりを容易に選択することができる。
【０００９】
また、好ましくは、前記蓋部の周縁部周辺には、エンボスが形成されていることを特徴とする。従って、一方の主面と他方の主面とが静電気などで密着していても、エンボスを手掛かりにして離間させて、開口部を広げ易くなる。
【００１０】
また、好ましくは、前記収容部は表面が滑らかであって、前記余剰部、及び／又は、前記余剰部と前記蓋部との境界付近には、二本の互いに隣接するスリットが略平行に形成されていることを特徴とする。
従って、収容部の表面は滑らかなので、食べる際に、粘着力のある米飯を収容部の表面から剥がし易くなる。そして、収容部の表面が滑らかであっても、二本の互いに隣接する略平行なスリットに指を差し入れて袋体を確実に把持することができる。従って、収容部に米飯を入れる作業の際や、袋体を把持して食事をする際、滑り落ちを防止することができる。また、このようにスリットに指を差し入れても、スリットは基本的におにぎりが入っていない余剰部、及び／又は、余剰部と蓋部との境界付近に配置されているため、指がおにぎりに触れる事態を有効に防止でき、衛生的におにぎりを食べることができる。
【発明の効果】
【００１１】
以上、本発明によれば、奇麗な三角形のおにぎりを形成し易く、そのまま包装して衛生的に保管すると共に、食す際にも使用できるおにぎり包装袋を提供することができる。
【図面の簡単な説明】
【００１２】
【図１】本発明の実施形態のおにぎり包装袋の正面図。
【図２】図２（Ａ）は図１の包装袋の平面図、図２（Ｂ）は図１の包装袋の底面図であり、図２（Ａ）の一点鎖線で囲った図は該平面図の部分拡大図、図２（Ｂ）の一点鎖線で囲った図は該底面図の部分拡大図。
【図３】図１の包装袋の右側面図であり、一点鎖線で囲った図はその部分拡大図。
【図４】図１のＢ−Ｂ部分のＡ−Ａ拡大断面図。
【図５】図１のＣ−Ｃ部分のＤ−Ｄ拡大断面図。
【図６】図１の包装袋の展開図。
【図７】図１の包装袋の使用方法を示す図であり、図７（Ａ）は包装袋を把持して米飯を入れる際の図、図７（Ｂ）はお椀に包装袋をセットして米飯を入れる際の図。
【図８】図１の包装袋の図７に続く使用方法を示す図。
【図９】図１の包装袋の図８に続く使用方法を示す図。
【図１０】図１の包装袋の図９に続く使用方法を示す図。
【図１１】図１の包装袋の図１０に続く使用方法を示す図。
【図１２】本発明の実施形態の第１変形例に係るおにぎり包装袋の正面図。
【図１３】図１２の包装袋の背面図。
【図１４】図１４（Ａ）は図１２の包装袋の平面図、図１４（Ｂ）は図１２の包装袋の底面図であり、図１４（Ａ）の一点鎖線で囲った図は該平面図の部分拡大図、図１４（Ｂ）の一点鎖線で囲った図は該底面図の部分拡大図。
【図１５】図１２の包装袋の右側面図であり、一点鎖線で囲った図はその部分拡大図。
【図１６】図１２のＦ−Ｆ部分のＥ−Ｅ拡大断面図。
【図１７】図１２のＧ−Ｇ部分のＨ−Ｈ拡大断面図。
【図１８】図１２の包装袋の展開図。
【図１９】本発明の実施形態の第２変形例に係るおにぎり包装袋の正面図。
【図２０】図１９の包装袋の背面図。
【図２１】図２１（Ａ）は図１９の包装袋の平面図、図２１（Ｂ）は図１９の包装袋の底面図であり、図２１（Ａ）の一点鎖線で囲った図は該平面図の部分拡大図、図２１（Ｂ）の一点鎖線で囲った図は該底面図の部分拡大図。
【図２２】図１９の包装袋の右側面図であり、一点鎖線で囲った図はその部分拡大図。
【図２３】図１９のＪ−Ｊ部分のＩ−Ｉ拡大断面図。
【図２４】図１９のＬ−Ｌ部分のＫ−Ｋ拡大断面図。
【図２５】図１９の包装袋の展開図。
【図２６】本発明の実施形態の第３変形例に係るおにぎり包装袋の正面図。
【図２７】本発明の実施形態の第４変形例に係るおにぎり包装袋の正面図。
【図２８】図２７の包装袋の背面図。
【図２９】図２９（Ａ）は図２７の包装袋の平面図、図２９（Ｂ）は図２７の包装袋の底面図であり、図２９（Ａ）の一点鎖線で囲った図は該平面図の部分拡大図、図２９（Ｂ）の一点鎖線で囲った図は該底面図の部分拡大図。
【図３０】図２７の包装袋の右側面図であり、一点鎖線で囲った図はその部分拡大図。
【図３１】図２７のＮ−Ｎ部分のＭ−Ｍ拡大断面図。
【図３２】図２７のＰ−Ｐ部分のＯ−Ｏ拡大断面図。
【図３３】図２９のＱ−Ｑ部分の拡大図。
【図３４】図２７の包装袋の展開図。
【図３５】本発明の実施形態の第５変形例に係るおにぎり包装袋の正面図。
【図３６】図３５の包装袋の使用状態図。
【図３７】本発明の実施形態の第６変形例に係るおにぎり包装袋の正面図。
【発明を実施するための最良の形態】
【００１３】
以下、この発明の好適な実施形態を添付図面を参照しながら、詳細に説明する。各図において付した同じ符号は同様の構成を有している。また、各図の一点鎖線、二点鎖線、及び三点鎖線は仮想線であって、おにぎり包装袋の形状ないし付された模様ではない。また、図２・３・１４・１５・２１・２２・２９・３０の矢印もおにぎり包装袋の形状ないし付された模様ではない。
図１〜図６は本発明の実施形態に係るおにぎり包装袋１０である。尚、おにぎり包装袋（以下「包装袋」という）１０の背面図は図１の正面図と対称、左側面図は図３の右側面図と同一である。
これらの図の包装袋１０は、おにぎりを握り、持ち運びなどに保管し、そして食べるという調理、保管、食事という３つの場面で用いられる。従って、包装袋１０は調理用具でもあり調理用具兼用包装袋とも言え、また、食器でもある。
【００１４】
包装袋１０の表面は摩擦係数の低い合成樹脂で形成され、例えばポリエチレンや、ポリプロピレン、ナイロン、アルミを好適に用いることができる。これにより、滑らかな表面となって粘着力のある米飯の付着をできるだけ抑制し、おにぎりを握る際に綺麗に形を整えたり、食べる際に袋から露出させ易くしたりすることができる。また、図１〜図３に示すように、包装袋１０は非常に薄く、高い可撓性のあるフィルムのみで形成されている。このように、薄く、かつ、高い可撓性を有するフィルムであるため、おにぎりを握る際の米飯の感触が手に伝達し易くなる。なお、包装袋１０は透明または半透明にして中身の視認性を上げている。
【００１５】
この包装袋１０は一方及び他方の主面１２，１４を有し、販売時の状態では、一方の主面１２と他方の主面１４とが面状に密接し、略厚みのないシート状となっている。図の包装袋１０の厚みは０．１ｍｍにも満たず、具体的には０．００７〜０．０３ｍｍである。
包装袋１０は図１に示されるように正対視が四角形状であり、本実施形態は後述する余分領域４６を除き、略正方形とされている。そして、この略正方形の互いに隣り合う二辺１０Ａ，１０Ｂが閉じられ、この二辺１０Ａ，１０Ｂと対向する互いに隣り合う二辺１０Ｃ，１０Ｄは閉じられずに開口部とされている。これにより、包装袋１０は連続する二辺１０Ｃ，１０Ｄが開口可能な袋体となり、この二辺（即ち、開口部）１０Ｃ，１０Ｄを開いて米飯を挿入したり（図７参照）、おにぎりを露出させたりすることができる。また、連続して閉じられた二辺１０Ａ，１０Ｂ側は、米飯を収容するための収容部２０となる。
【００１６】
一方の主面１２と他方の主面１４とを開いて展開した図６の状態では、包装袋１０は、一枚の長方形のシートであり、このシートから図１の包装袋１０が作られる。即ち、図６のシートを長手方向中央の仮想線ＣＬ１を基準にして、一方の主面１２と他方の主面１４とが面状に密接するように二つ折りにする。その後、図１に示すように、仮想線ＣＬ１に対応した折曲げ部（辺１０Ａとなる）と直交する方向に沿った二辺のうち、いずれか一方の辺（図１の場合は辺１０Ｂ）に沿って、その辺に近傍する位置で熱圧着する。即ち、図１及び図４に示すＨＰの部分はこの熱圧着された接続部ＨＰとなり、袋体が形成される。尚、辺１０Ｂと接続部ＨＰとの間には余分領域４６が形成されるが、その面積は小さく、薄くて高い可撓性を有するため、おにぎりの調理や保管に支障を及ぼすものではない。
【００１７】
ここで、開口部１０Ｃ，１０Ｄを広げて一方の主面１２と他方の主面１４とを離間させた際、収容部２０は標準的な大きさのおにぎりを収容可能な空間とされる。本実施形態の収容部２０には１３０ｇの米飯を挿入できる。セブンイレブンの塩握りが約１１６ｇ、ローソンの塩握りが約１０６ｇ、ファミリーマートの塩握りが約１０９ｇであるため、収容部２０の１３０ｇは、具材の量を加味した適当な通常量である。
このような収容部２０の主面の正対視は、開口部１０Ｃ，１０Ｄと反対側の底部をなす二辺１０Ａ，１０Ｂどうしの角度が略直角の角部３６を有する三角形状となっている。従って、開口部１０Ｃ，１０Ｄから米飯を入れて、収容部２０にその米飯を溜め、次いで、薄い袋体の上から手でおにぎりを握る際、この三角形状の収容部２０がガイドとなって、綺麗な三角形状のおにぎりを形成することができる。
【００１８】
そして、収容部２０よりも開口部１０Ｃ，１０Ｄ側には、折り曲げられて収容部２０の内側空間を封止するための蓋部２２を有する（図１１参照）。販売時の蓋部２２は、開口部１０Ｃ，１０Ｄと正対視における対角線（余分領域４６を除く略正方形の対角線）ＣＬ２を三辺とする三角形状である。なお、収容部２０を蓋封止する際の折り曲げ部は、図１の対角線ＣＬ２でも構わないが、対角線ＣＬ２よりも収容部２０の底部側とするのが好ましい。
【００１９】
ここで、収容部２０の正対視は、底部をなす二辺１０Ａ，１０Ｂ、及び対角線ＣＬ２と並行な底部側の線ＬＮを三辺とする三角形状であり、収容部２０と蓋部２２との間には余剰部２４が形成されている。余剰部２４は、基本的に、蓋部２２で収容部２０の内側空間を封止した際に米飯が収容されない部分であり、三角形状の収容部２０が蓋部２２側に延伸するようにして形成される。従って、おにぎりを三角形に整えて調理していく際、米飯が収容部２０からあふれても、開口部１０Ｃ，１０Ｄから直ぐに出てしまう事態を防止できる。また、この余剰部２４は収容部２０の三角形状が蓋部２２側に延伸して形成されているため、通常より大きなおにぎりを作ることも可能である。なお、図１では、収容部２０と余剰部２４との境界（即ち、線ＬＮの部分）に該境界であることを示す目印を付けていないが、目印を付けるのがより好ましい。
【００２０】
図７〜図１１は、図１の包装袋１０の使用方法を示す図である。
先ず、おにぎりを作る際は、図７に示すように、包装袋１０の収容部２０に米を炊き上げた米飯ＲＳを入れる。米飯ＲＳを入れる作業は、図７（Ａ）に示すように、包装袋１０を片手ＨＤで持って、もう一方の手で開口部１０Ｃ，１０Ｄを広げ、その後、開口部１０Ｃ，１０Ｄから米飯ＲＳを入れて、収容部２０に貯める。或いは、図７（Ｂ）に示すように、一膳分のお椀や小型のボール（以下、「食器」という）ＢＬを利用しても構わない。即ち、食器ＢＬの内側底部に、閉じられた二辺１０Ａ，１０Ｂ（図１参照）が着くように包装袋１０をセッティングする。この際、食器ＢＬが子供や大人の女性の通常の一膳分の米飯を入れられるお椀であれば、収容部２０を食器ＢＬの内側空間に入れられると共に、余剰部２４と蓋部２２を食器ＢＬの縁から外に出せるようになっている。また、大人の男性等の若干大き目のお椀であれば、収容部２０と余剰部２４を食器ＢＬの内側空間に入れることができる。そして、米飯ＲＳを食器ＢＬの中の収容部２０に入れる。これにより、包装袋１０が滑り易くても、楽に包装袋１０を保持して米飯を入れることができる。
【００２１】
次いで、図８に示すように、具材（図の場合は梅干し）ＵＢを米飯の中に押し入れ、その後、余剰部２４のうち、閉じた二辺１０Ａ，１０Ｂに隣接する２箇所の隣接部２４Ａ，２４Ｂ（図７も参照）を、米飯ＲＳを隠すように互いに接近させる方向に曲げる。なお、この作業は、握る際に米飯を収容部２０に押し込める上で好ましいが、必ずしも必要ではない。
【００２２】
次いで、図９に示すように、一方の主面１２と他方の主面１４の開口部１０Ｃ，１０Ｄどうしを概ね揃えて、蓋部２２が収容部２０の外面２０Ａに付くように折り曲げる。
次いで、図１０に示すように、包装袋１０に米飯を入れたまま、包装袋１０の上からおにぎりを握って調理する。
そして、図１１に示すように、折り曲げられた蓋部２２の外面２２Ａと収容部２０の外面２０Ａとに跨がるようにシールＳＨを貼付して固定する。シールＳＨは包装袋１０を購入した際に付いている付属品であり、おにぎりの種類をマジックやボールペン等の筆記用具で記載可能な記載部２５を有する。従って、使用者がシールＳＨにおにぎりの種類を記載しておけば、食事をする際におにぎりの種類を容易に確認することがでる。
【００２３】
〔第１変形例〕
次に、上記実施形態の第１変形例に係る包装袋３０ついて、図１２〜図１８を用いて説明する。なお、本変形例の包装袋３０の左側面図は図１５の右側面図と同一である。
これらの図の包装袋３０が図１〜図１１の包装袋１０と異なるのは、一方の主面１２側の蓋部２２に比べて他方の主面１４側の蓋部２８が小さい点である。即ち、一方の主面１２の開口部１０Ｃ，１０Ｄは既に説明した通り、正対視が略正方形の互いに隣り合う二辺が開口部１０Ｃ，１０Ｄになっているが、他方の主面１４の開口部２６は閉じている辺１０Ａ，１０Ｂを略半径とした円の１／４円弧状である。
このため、他方の主面１４側の蓋部２８を内側、一方の主面１２側の蓋部２２を外側にして蓋部２２，２８を折り曲げれば、収容部２０の内側空間を有効に封止すると共に、蓋部２２，２８をスッキリ整えることができる。従って、他の物に蓋部２２，２８が引っ掛かってシールが剥がれ、蓋部２２，２８の封止状態が解除される事態を防止することができる。
【００２４】
〔第２変形例〕
次に、上記実施形態の第２変形例に係る包装袋４０ついて図１９〜図２５を用いて説明する。なお、本変形例の包装袋４０の左側面図は図２２の右側面図と同一である。
これらの図の包装袋４０は図１２〜図１８の包装袋３０と比べて、一方の主面１２側の蓋部２２の形状が異なっているのみである。即ち、一方の主面１２の開口部１０Ｃと開口部１０Ｄの境目付近（即ち、角部付近）が湾曲部３３となっている。このような形態であっても、第１変形例と同様の効果を発揮することができる。
【００２５】
〔第３変形例〕
次に、上記実施形態の第３変形例に係る包装袋５０ついて、図２６を用いて説明する。    
この図の包装袋５０が図１〜図１１の包装袋１０と比べて異なる点は、蓋部２２の周縁部周辺（開口部１０Ｃ，１０Ｄ付近）にエンボス３５が形成されている点である。
エンボス３５は蓋部２２に形成された小さな凹凸の集合体であり、一方の主面１２と他方の主面１４とが静電気などで密着していても、エンボス３５を手掛かりとして離間させ易くなり、開口部１０Ｃ，１０Ｄを広げ易くなる。
本変形例のエンボス３５は、他方の主面１４側の蓋部２２にのみ形成され、一方の主面１２側の蓋部２２には形成されていない。これにより、収容部２０の内側空間を蓋封止する際、エンボス３５を隠すように蓋部２２をＲ方向に折り曲げることができる。従って、シールを貼付した際（図１１参照）、シールがエンボス３５にかかることはなく、シールの剥がれを防止できる。
【００２６】
〔第４変形例〕
次に、上記実施形態の第４変形例に係る包装袋６０ついて図２７〜図３４を用いて説明する。なお、本変形例の包装袋６０の左側面図は図３０の右側面図と対称である。
これらの図の包装袋６０は、上記第２変形例に係る包装袋４０に、上記第３変形例に係る包装袋５０のエンボス３５を付加した構成となっており、従って、上記第２変形例のように、シールが剥がれて蓋部２２，２８の封止状態が解除される事態を防止でき、また、上記第３変形例のように開口部を広げ易くなる。
また、本第４変形例のエンボス３５は、他方の主面１４側の蓋部２８の周縁部周辺にのみ形成され、一方の主面１２側の蓋部２２には形成されていない。これにより、蓋部２２より小さな蓋部２８を内側にして蓋部２２，２８を折り曲げれば、エンボス３５は隠れることになる。換言すれば、小さな蓋部２８を内側にして蓋部２２，２８を折り曲げるように誘導されるので、使用者は意識しなくても、蓋封止した際にエンボス３５を隠すことができる。従って、上述のようにエンボス３５にシールがかかることがなく、シールの剥がれを防止できる。
【００２７】
〔第５変形例〕
次に、上記実施形態の第５変形例に係る包装袋７０ついて、図３５〜図３６を用いて説明する。
これらの図の包装袋７０は図１〜図１１の包装袋１０と比べて、スリット（切れ目）４１が形成されている点のみが異なっている。即ち、他方の主面１４には複数本のスリット４２，４３が形成されている。図の場合、他方の主面１４には、二本の互いに隣接するスリット４２，４３が互いに平行に形成されている。スリット４１の長さＬは親指ＴＭの先が挿入可能なサイズである。これにより、親指ＴＭの先を二本のスリット４２，４３の間に差し入れて、親指ＴＭと他方の主面１４とを係止して、包装袋７０の表面が滑らかであっても確実に把持することができる。図では、二本のスリット４２，４３に指先を潜らせているが、いずれか一方のスリット４２又は４３のみに指先を潜らせてもよい。
【００２８】
このスリット４１は、対角線ＣＬ２と三角形の収容部２０の開口部１０Ｃ，１０Ｄ側の一辺をなす仮想線ＬＮとの間にある余剰部２４、及び／又は、余剰部２４と蓋部２２との境界付近に形成されている。従って、スリット４１に親指ＴＭを差し入れても、収容部２０に収容された米飯や調理後のおにぎりに、親指ＴＭが触れる事態を有効に防止でき、衛生的におにぎりを食べることができる。図の複数本のスリット４２，４３は、仮想線ＬＮから対角線ＣＬ２に向かう方向に並んで配置されている。
【００２９】
また、本実施形態のスリット４１は、一方及び他方の主面１２，１４のいずれか一方（図では他方の主面１４にのみ形成されている。このため、収容部２０の内側空間を蓋部２２で封止する際、図３６の二点鎖線に示すように、蓋部２２を他方の主面１４側（スリット４１側）に折り曲げれば、スリット４１は蓋部２２で隠れ、そして、一方の主面１２にはスリットは存在しないため、おにぎりを衛生的に保管することができる。
【００３０】
図のスリット４２，４３の互いの長さＬは略同じであるが、本発明はこれに限られず、互いの長さを異ならせてもよい。これにより、いずれか一方のスリット４２又は４３に指先を潜らせる場合、異なる大きさの指先に対応したスリットを構成することができる。なお、本発明のスリットは１本、或いは３本以上であっても構わない。この際、３本であると、米飯の量や手指の大きさに応じて、指先を潜らせるスリットの選択の幅を広げることができるし、埃の侵入を可及的に防止することができる。
【００３１】
〔第６変形例〕
次に、上記実施形態の第６変形例に係る包装袋８０ついて、図３７を用いて説明する。
この図の包装袋８０は、上記第５変形例に係る包装袋７０の蓋部２２の周縁部周辺にエンボス３５を形成したものである。従って、エンボス３５を手掛かりとして開口部１０Ｃ，１０Ｄを広げ易くなる。
なお、エンボス３５とスリット４１は、一方及び他方の主面１２，１４のうち、いずれか一方（図の場合は同じ他方の主面１４）にのみ形成されている。従って、上述のように蓋部２２をスリット４１側に折り曲げてスリット４１を隠し、おにぎりを衛生的に保管でき、また、エンボス３５のない蓋部２２の外面（一方の主面１２の外面）と収容部２０の外面とに跨るように、図１１のようにシールを貼付して、シールの剥がれを防止できる。
【００３２】
以上に述べた実施形態は、本発明の好適な具体例であるから、技術的に好ましい種々の限定が付されているが、本発明の範囲は、上記の説明において特に本発明を限定する旨の記載がない限り、これらの態様に限られるものではない。また、各実施形態の各構成はこれらを適宜組み合わせ、省略し、図示しない他の構成と組み合わせることができる。
例えば、図１の一方の主面１２の開口部１０Ｃ，１０Ｄと他方の主面１４の開口部１０Ｃ，１０Ｄとは、正対視した際に僅かに位置がずれるようにして、開口部１０Ｃ，１０Ｄを広げ易くしてもよい。
【符号の説明】
【００３３】
１０，３０，４０，５０，６０，７０，８０・・・おにぎり包装袋、１０Ｃ，１０Ｄ・・・開口部、２０・・・収容部、２２・・・蓋部、２４・・・余剰部、３５・・・エンボス、ＳＨ・・・シール、４１，４２，４３・・・スリット
【図１】
2019167133.tif 000003
【図２】
2019167133.tif 000004
【図３】
2019167133.tif 000005
【図４】
2019167133.tif 000006
【図５】
2019167133.tif 000007
【図６】
2019167133.tif 000008
【図７】
2019167133.tif 000009
【図８】
2019167133.tif 000010
【図９】
2019167133.tif 000011
【図１０】
2019167133.tif 000012
【図１１】
2019167133.tif 000013
【図１２】
2019167133.tif 000014
【図１３】
2019167133.tif 000015
【図１４】
2019167133.tif 000016
【図１５】
2019167133.tif 000017
【図１６】
2019167133.tif 000018
【図１７】
2019167133.tif 000019
【図１８】
2019167133.tif 000020
【図１９】
2019167133.tif 000021
【図２０】
2019167133.tif 000022
【図２１】
2019167133.tif 000023
【図２２】
2019167133.tif 000024
【図２３】
2019167133.tif 000025
【図２４】
2019167133.tif 000026
【図２５】
2019167133.tif 000027
【図２６】
2019167133.tif 000028
【図２７】
2019167133.tif 000029
【図２８】
2019167133.tif 000030
【図２９】
2019167133.tif 000031
【図３０】
2019167133.tif 000032
【図３１】
2019167133.tif 000033
【図３２】
2019167133.tif 000034
【図３３】
2019167133.tif 000035
【図３４】
2019167133.tif 000036
【図３５】
2019167133.tif 000037
【図３６】
2019167133.tif 000038
【図３７】
2019167133.tif 000039